(57)【要約】【課題】安全輸液コネクターを提供する。【解決手段】安全輸液コネクターは、組み合わせ式インナーチューブ、第一弾性体、封止部及びシェルを備え、シェルは入り口に第一弾性体を密封され、出口に封止部を密封される。二重シール構造となることで、安全輸液コネクターは液体の漏れを防ぐことや良い気密効果も得ることができる。使用において、部分的なインナーチューブが固定され、構造が安定となる。【選択図】  図２
2018023706.tif 000002
【特許請求の範囲】
【請求項１】
第一インナーチューブ、第二インナーチューブ、シェル、第一弾性体及び封止部を備え、
前記第一インナーチューブは、中に第一流路を備える第一突出部、係着部及び少なくとも一つの第一止着部を有し、前記第一突出部及び前記第一止着部はそれぞれ前記係着部とを係合し、前記第一突出部の自由端には少なくとも一つの第一貫通孔を有し、前記第一貫通孔は前記第一流路とを継合し、
前記第二インナーチューブは、第二突出部、本体及び少なくとも一つの第二止着部を有し、前記第二突出部及び前記第二止着部はそれぞれ前記本体とを係合し、前記第二突出部の自由端には少なくとも一つの第二貫通孔を備え、前記第二突出部と前記本体の中には第二流路を有し、前記第二貫通孔は前記第二流路とを継合し、前記第二止着部の自由端には外向きに突出するフランジを形成し、
前記係着部は前記本体と互いに係着し、前記第一止着部と前記第二止着部が交じり合って配置し、前記第一突出部の自由端と前記第二突出部の自由端は互い反対方向に向い、前記第一流路は前記第二流路と継合し、
前記シェルは、周壁部と、前記周壁部の両端を閉じる第一側壁部及び第二側壁部とを有し、前記周壁部と、前記第一側壁部及び前記第二側壁部とともに囲まれた第一収納スペースを構成し、前記第一側壁部と前記第二側壁部はそれぞれオープンニングを有し、前記オープンニングは端から延びさせて第一リング壁部と第二リング壁部を形成し、第一チャンネルは前記第一リング壁部を囲まれて構成し、第二チャンネルは前記第二リング壁部を囲まれて構成し、
前記第一弾性体は、頭部と、胴体と、固定部とを含め、前記頭部は前記胴体の片側から延びさせて閉じた端部になり、前記胴体の別の側から延びさせて開いた端部になり、前記胴体は中に前記開いた端部とを接合される第二収納スペースと、内壁面に位置決め溝とを設けられ、前記固定部が前記開いた端部と係合されて前記シェルに固設され、
前記封止部は前記第二側壁部に取り付けて前記第一止着部を当接され、
前記第一突出部は前記第一リング壁部の方向に向かって突出し、前記第一弾性体が前記第一突出部に取設されることにより、前記第一突出部は前記開いた端部を通り抜けて前記第二収納スペースに配置され、前記位置決め溝は前記フランジに噛み合わせ、前記頭部は前記第一リング壁部の中に配置して前記第一チャンネルを密封し、前記第二突出部は前記第二リング壁部の方向に向かって突出することを特徴とする安全輸液コネクター。
【請求項２】
前記周壁部は互いに噛み合わせる内周壁と外周壁を備え、前記内周壁は前記第一側壁部を連接し、前記外周壁は前記第二側壁部を連接し、前記固定部は前記内周壁と前記外周壁の間に配置されることを特徴とする請求項１に記載の安全輸液コネクター。
【請求項３】
前記第一インナーチューブには二つの対向的に並置される前記第一止着部を有し、前記第二インナーチューブには二つの対向的に並置される前記第二止着部を有することを特徴とする請求項１に記載の安全輸液コネクター。
【請求項４】
前記第一弾性体が前記頭部に接続された前記本体にはネック部を更に有し、前記第一側壁部と前記第一リング壁部の接合点には押圧部を更に備え、前記押圧部が前記ネック部を当接することを特徴とする請求項１に記載の安全輸液コネクター。
【請求項５】
前記第一インナーチューブの前記係着部と前記第二インナーチューブの前記本体の間には弾性ループを更に有することを特徴とする請求項１に記載の安全輸液コネクター。
【請求項６】
前記第一突出部の前記自由端は第一側部を有するテーパ状の形になり、前記第一貫通孔が前記第一側部に設けられることを特徴とする請求項１に記載の安全輸液コネクター。
【請求項７】
前記第二突出部の前記自由端は第二側部を有するテーパ状の形になり、前記第二貫通孔が前記第二側部に設けられ、前記封止部は収容溝を有し、前記第二側部が収容溝に配置されることを特徴とする請求項１に記載の安全輸液コネクター。
【発明の詳細な説明】
【技術分野】
【０００１】
本発明は、医療器材、特に鋭い針を使用しない安全輸液コネクターに関するものである。
【背景技術】
【０００２】
従来の医療処置は常に様々な輸液パイプを利用し、患者に薬剤の投与、採血、点滴静脈注射などの液体の吸引や注入ことをする。輸液コネクターは様々な輸液パイプを接続され、液体の吸引または注入のバルブとしてある。近年、医療従事者のセキュリティの重視が高まり、多くの医療機関は鋭い針を不要の安全輸液コネクターを使用する。
【０００３】
従来の安全輸液コネクターは一般的に二つのタイプで分ける。第一のタイプはただ一つのシール構造を有し、例えば特許文献１により提示された従来の安全輸液コネクターは、インナーチューブを含め、インナーチューブの開口は弾性部材をシールされ、使用する場合、開口部を露出するように、弾性部材を変形させる。このような構造は、弾性部材が弛緩しやすいので優れた効果を得ることができない。
【０００４】
第二のタイプは二つのシール構造を有し、例えば特許文献２により提示された従来の安全輸液コネクターは、シェル、弾性バルブ及び双方向のパイプを含める。シェルは二つの開口を有し、弾性バルブはシェルの中に置いてその二つの開口をシールする。双方向のパイプは輸液流路を含め、弾性バルブに囲まれてなる収納スペースに拘持する。使用する場合、弾性バルブが外部端子に押されて変形することにより、弾性バルブは双方向のパイプを押し分けられ、輸液流路が二つの開口とを継合させる。
【０００５】
上述の第二のタイプの安全輸液コネクターは、つけ加えるシール構造を有するが、双方向のパイプは弾性バルブしか支えてもらうものがない。毎回使う時、弾性バルブはいつも押し出されて変形することにより、長期間の使用する場合、弾性緩和現象を起こしやすく、さらに双方向のパイプの支持された状態が不安定になり、液体の漏れることが予想できる。
【０００６】
上述したことにより、従来の安全輸液コネクターはまだ改善が必要である。
【先行技術文献】
【特許文献】
【０００７】
【特許文献１】台湾実用新案Ｍ４０７７６１号公報
【特許文献２】台湾特許第Ｉ３７８８０６号公報
【発明の概要】
【発明が解決しようとする課題】
【０００８】
本発明は、良いシーリング効果、そして安定した構造が可能な安全輸液コネクターを提供することを主な目的とする。
【課題を解決するための手段】
【０００９】
上述の目的を達成するために、本発明は第一インナーチューブ、第二インナーチューブ、シェル、第一弾性体及び封止部を備える安全輸液コネクターを提供する。第一インナーチューブは中に第一流路を備える第一突出部、係着部及び少なくとも一つの第一止着部を有し、第一突出部及び第一止着部はそれぞれ係着部とを係合する。第一突出部の自由端には少なくとも一つの第一貫通孔を有し、第一貫通孔は第一流路とを継合する。第二インナーチューブは第二突出部、本体及び少なくとも一つの第二止着部を有し、第二突出部及び第二止着部はそれぞれ本体とを係合する。第二突出部と本体の中には第二流路を有し、第二突出部の自由端には少なくとも一つの第二貫通孔を備え、第二貫通孔は第二流路とを継合し、第二止着部の自由端には外向きに突出するフランジを形成する。係着部は本体と互いに係着し、第一止着部と第二止着部が交じり合って配置する。第一突出部の自由端と第二突出部の自由端は互い反対方向に向う。第一流路は第二流路とを継合する。シェルは周壁部と、周壁部の両端を閉じる第一側壁部及び第二側壁部とを有し、周壁部と第一側壁部と第二側壁部とともに囲まれた第一収納スペースを構成する。第一側壁部と第二側壁部はそれぞれオープンニングを有し、且つオープンニングの端から延びさせて第一リング壁部と第二リング壁部を形成される。第一チャンネルは第一リング壁部を囲まれて構成し、第二チャンネルは第二リング壁部を囲まれて構成する。第一弾性体は頭部と、胴体と、固定部とを備える。頭部は胴体の片側から延びさせて閉じた端部になり、胴体の別の側から延びさせて開いた端部になる。胴体は中に開いた端部とを接合される第二収納スペースと、内壁面に位置決め溝とを設けられる。固定部は開いた端部と係合されてシェルに固設される。封止部は第二側壁部に取り付けて第一止着部を当接される。第一突出部は第一リング壁部の方向に向かって突出する。第一弾性体が第一突出部に取設されることにより、第一突出部は開いた端部を通り抜けて第二収納スペースに配置される。位置決め溝はフランジに噛み合わせ、頭部は第一リング壁部の中に配置して第一チャンネルを密封する。第二突出部は第二リング壁部の方向に向かって突出する。
【００１０】
本発明の好適な実施形態においては、周壁部には互いに噛み合わせる内周壁と外周壁を備え、内周壁は第一側壁部を連接し、外周壁は第二側壁部を連接し、固定部は内周壁と外周壁の間に配置される安全輸液コネクターを提供する。
【００１１】
本発明の好適な実施形態においては、第一インナーチューブには二つの対向的に並置される第一止着部を有し、第二インナーチューブには二つの対向的に並置される第二止着部を有する安全輸液コネクターを提供する。
【００１２】
本発明の好適な実施形態においては、第一弾性体が頭部に接続された胴体にはネック部を有し、第一側壁部と第一リング壁部の接合点には押圧部を更に備え、押圧部はネック部を当接する安全輸液コネクターを提供する。
【００１３】
本発明の好適な実施形態においては、第一インナーチューブの係着部と第二インナーチューブの本体の間には弾性ループを更に有する安全輸液コネクターを提供する。
【００１４】
本発明の好適な実施形態においては、第一突出部の自由端は第一側部を有するテーパ状の形になり、第一貫通孔が第一側部に設けられる安全輸液コネクターを提供する。
【００１５】
本発明の好適な実施形態においては、第二突出部の自由端は第二側部を有するテーパ状の形になり、第二貫通孔が第二側部に設けられ、封止部は収容溝を有し、第二側部が収容溝に配置される安全輸液コネクターを提供する。
【００１６】
上述した構造により、第一弾性体と封止部はそれぞれ第一チャンネルと第二チャンネルを密封し、優れたシーリング効果を得ることができる。なお、第一インナーチューブは第一止着部によってシェルの第二側壁部に当接し、長時間の使用でも安定な構造を維持することができる。
【００１７】
本発明による安全輸液コネクターの詳細な特徴は、以下の詳細な説明を通して明確にする。また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００１８】
【図１】本発明の一実施形態による安全輸液コネクターを示す斜視図である。
【図２】本発明の一実施形態による安全輸液コネクターを示す分解斜視図である。
【図３】本発明の一実施形態による安全輸液コネクターを示す部分的な側面図である。
【図４】本発明の図１による切断線44に沿う断面図である。
【図５】本発明の図４による安全輸液コネクターの流れ状態を示す断面図である。
【発明を実施するための形態】
【００１９】
（一実施形態）
図１と図２に示すように、本発明の一実施形態による安全輸液コネクター１０は、第一インナーチューブ２０、第二インナーチューブ３０、シェル４０、第一弾性体５０及び封止部６０を含める。
【００２０】
図２から図４に示すように、第一インナーチューブ２０は中に第一流路２２５を備える第一突出部２２、係着部２４及び二つの第一止着部２６を有し、係着部２４は略中空円筒体の形をし、一端が第一突出部２２とを係合し、別の一端が二つの第一止着部２６を係合し、且つ二つの第一止着部２６は係着部２４の一端で対向する位置に配置される。第一突出部２２は係着部２４とを連接しない一方の端部が自由端２２１である。第一突出部２２の自由端２２１には二つの第一貫通孔２２３を有し第一貫通孔２２３は第一流路２２５とを継合する。別の可能な実施例において、第一止着部２６及び第一貫通孔２２３の数は一つでもよい。
【００２１】
第二インナーチューブ３０は第二突出部３２、本体３４及び二つの第二止着部３６を有し、第二突出部３２の一端が本体３４とを係合し、別の一端が自由端３２１である。二つの第二止着部３６は対向する位置に配置され、それぞれ本体３４とを係合する。第二突出部３２の自由端３２１には二つの第二貫通孔３２３を有し、第二突出部３２と本体３４の中には第二流路３２５を備える。第二貫通孔３２３は第二流路３２５とを継合し、二つの第二止着部３６は本体３４とを連接しない一方の端部が自由端３６１であり、自由端３６１には外向きに突出するフランジ３６２を形成する。別の可能な実施例において、第二止着部３６及び第二貫通孔３２３の数は一つでもよい。
【００２２】
次に、第一インナーチューブ２０と第二インナーチューブ３０の組み合わせ方法について説明する。第一インナーチューブ２０の係着部２４は第二インナーチューブ３０の本体３４と互いに係着し、第一止着部２６と第二止着部３６が交じり合って配置し、第一突出部２２の自由端２２１と第二突出部３２の自由端３２１は互い反対方向に向う。図４に示すように、第一流路２２５は第二流路３２５とを継合する。
【００２３】
図１、図２、図４及び図５に示すように、シェル４０は周壁部４１と、周壁部４１の両端を閉じる第一側壁部４２及び第二側壁部４３とを有する。本発明の好適な実施形態においては、簡単に組み立てられるため、周壁部４１は互いに噛み合わせる内周壁４１２と外周壁４１４を備え、内周壁４１２は第一側壁部４２を連接し、外周壁４１４は第二側壁部４３を連接する。周壁部４１と第一側壁部４２と第二側壁部４３とともに囲まれた第一収納スペース４４を構成する。第一側壁部４２と第二側壁部４３はそれぞれオープンニングを有し、且つオープンニングの端から延びさせて第一リング壁部４５と第二リング壁部４６を形成される。第一チャンネル４５１は第一リング壁部４５を囲まれて構成し、第二チャンネル４６１は第二リング壁部４６を囲まれて構成する。第一チャンネル４５１及び第二チャンネル４６１はそれぞれ内徑が周壁部４１の内徑より短いである。
【００２４】
第一弾性体５０は頭部５２と、胴体５６と、固定部５９とを備える。頭部５２は胴体５６の片側から延びさせて閉じた端部になり、胴体５６の別の側から延びさせて開いた端部５６１になる。胴体５６の中には第二収納スペース５８を有し、第二収納スペース５８は開いた端部５６１とを接合する。胴体５６の外壁面には周壁部４１への方向に向かって突出する複数の第一弾性リング５６３を含める。第一弾性リング５６３は胴体５６の構造強度を高めるために使用され、一つの第一弾性リング５６３があれば、構造強度を高めることができる。胴体５６の内壁面には位置決め溝５６２を設けられる。固定部５９は開いた端部５６１から外向きに延び、内周壁４１２と外周壁４１４の間に固設される。別の可能な実施例において、固定部５９はシェル４０に対して拘持されば、それ以外の位置に固定しても良い。
【００２５】
封止部６０は略平らな面になって二つの平行な表面を含め、その一つの表面は第二側壁部４３の内壁面に取り付ける。
【００２６】
図４と図５に示すように、安全輸液コネクター１０を組み合わせる際、第一突出部２２は第一リング壁部４５の方向に向かって突出する。第一弾性体５０が第一突出部２２に取設されることにより、第一突出部２２は開いた端部５６１を通り抜けて第二収納スペース５８に配置される。第一弾性体５０の位置決め溝５６２は第二止着部３６のフランジ３６２に噛み合わせることができ、第一弾性体５０の頭部５２は第一リング壁部４５の中に配置して第一チャンネル４５１を密封する。
【００２７】
第一止着部２６は封止部６０と第二側壁部４３に当接し、第二突出部３２の自由端３２１は封止部６０の収容溝６２に配置される。
【００２８】
図４及び図５に示すように、ユーザーは安全輸液コネクター１０に介して輸液する場合、外部ノズル（図中未表示）を第一リング壁部４５に挿入するにより、固定部５９がシェル４０に対して拘持されるので、第一弾性体５０が圧縮されて変形すると、第一インナーチューブ２０の第一貫通孔２２３が第一弾性体５０を覆われないになる。同時、第一弾性体５０とを互いに噛み合わせる第二インナーチューブ３０も、第二リング壁部４６へ応動するようになる。それで、第二突出部３２は封止部６０を穿通し第二チャンネル４６１に入り、シリンジと第一流路２２５と第二流路３２５と第二チャンネル４６１とを継合し、ユーザは需要に応じて液体の注入または吸引をすることができる。
【００２９】
輸液が終わる場合、単に第一リング壁部４５からシリンジノズルを取り外し、第二インナーチューブ３０は圧縮された第一弾性体５０により、第一リング壁部４５の方向へ立ち戻るに連動させることができる。第二突出部３２の自由端３２１は収容溝６２に戻り、封止部６０が再び第二チャンネル４６１を覆い、第一弾性体５０も立ち戻って第一チャンネル４５１を密封することができる。
【００３０】
ちなみに、第一弾性体５０は第一チャンネル４５１を密封し、且つ封止部６０は第二チャンネル４６１を密封し、二重シール構造となることで、安全輸液コネクター１０は液体の漏れを防ぐことや良い気密効果も得ることができる。輸液の場合は、単なる第二インナーチューブ３０が押動され、第一インナーチューブ２０の第一止着部２６が封止部６０及び第二側壁部４３を当接し、動けないことになるので、構造が非常に安定となる。
【００３１】
漏れ防止効果がもっと高まるため、第一弾性体５０が頭部５２及び胴体５６に接続するネック部５４を更に有し、ネック部５４の外径と内径は頭部５２から胴体５６への方向に増やす。第一突出部２２の自由端２２１はテーパ状の形をして第一側部２２７を含める。第一貫通孔２２３が第一側部２２７に設け、第一側壁部４２と第一リング壁部４５の接合点には押圧部４８を更に備え、押圧部４８とネック部５４が第一側部２２７を互いに対応されることにより、押圧部４８がネック部５４及び第一側部２２７とを当接し、優れた第一貫通孔２２３を密封する効果を得ることができる。なお、第二突出部３２の自由端３２１はテーパ状の形をして第二側部３２７を含め、第二貫通孔３２３が第二側部３２７に設けられる。封止部６０は収容溝６２を有し、第二側部３２７が収容溝６２に配置され、優れた第二貫通孔３２３を密封する効果を得る。
【００３２】
構造の安定性を高めるために、第一インナーチューブ２０の係着部２４と第二インナーチューブ３０の本体３４の間には弾性ループ８０を更に有し、第一流路２２５は第二流路３２５とを密接に継合することができる。
【００３３】
上記の図示および記載された詳細な説明は、本発明の技術内容および特徴を説明した一実施形態を提供するものであり、本発明にかかわる領域において常識がある人ならば、本発明の範囲及び趣旨を逸脱することなく、種々の変形例、修正及び変更を加えることが下記に示す請求の範囲に属することが理解できるはずである。
【符号の説明】
【００３４】
１０：安全輸液コネクター
２０：第一インナーチューブ
２２：第一突出部        ２２１：自由端
２２３：第一貫通孔        ２２５：第一流路
２２７：第一側部
２４：係着部            ２６：第一止着部
３０：第二インナーチューブ
３２：第二突出部        ３２１：自由端
３２３：第二貫通孔        ３２５：第二流路
３２７：第二側部
３４：本体            ３６：第二止着部
３６１：自由端        ３６２：フランジ
４０：シェル
４１：周壁部            ４１２：内周壁
４１４：外周壁        ４２：第一側壁部
４３：第二側壁部        ４４：第一収納スペース
４５：第一リング壁部        ４５１：第一チャンネル
４６：第二リング壁部        ４６１：第二チャンネル
４８：押圧部
５０：第一弾性体
５２：頭部            ５４：ネック部
５６：胴体            ５６１：開いた端部
５６２：位置決め溝        ５６３：第一弾性リング
５８：第二収納スペース    ５９：固定部
６０：封止部            ６２：収容溝
８０：弾性ループ
【図１】
2018023706.tif 000003
【図２】
2018023706.tif 000004
【図３】
2018023706.tif 000005
【図４】
2018023706.tif 000006
【図５】
2018023706.tif 000007
【手続補正書】
【提出日】平成29年12月11日(2017.12.11)
【手続補正１】
【補正対象書類名】特許請求の範囲
【補正対象項目名】請求項１
【補正方法】変更
【補正の内容】
【請求項１】
第一インナーチューブ、第二インナーチューブ、シェル、第一弾性体及び封止部を備え、
前記第一インナーチューブは、中に第一流路を備える第一突出部、係着部及び少なくとも一つの第一止着部を有し、前記第一突出部及び前記第一止着部はそれぞれ前記係着部と連接し、前記第一突出部の自由端には少なくとも一つの第一貫通孔を有し、前記第一貫通孔は前記第一流路と接続し、
前記第二インナーチューブは、第二突出部、本体及び少なくとも一つの第二止着部を有し、前記第二突出部及び前記第二止着部はそれぞれ前記本体と連接し、前記第二突出部の自由端には少なくとも一つの第二貫通孔を備え、前記第二突出部と前記本体の中には第二流路を有し、前記第二貫通孔は前記第二流路と接続し、前記第二止着部の自由端には外向きに突出するフランジを形成し、
前記係着部は前記本体と互いに係着し、前記第一止着部と前記第二止着部が交じり合って配置し、前記第一突出部の自由端と前記第二突出部の自由端は互い反対方向に向い、前記第一流路は前記第二流路と継合し、
前記シェルは、周壁部と、前記周壁部の両端を閉じる第一側壁部及び第二側壁部とを有し、前記周壁部と、前記第一側壁部及び前記第二側壁部とともに囲まれた第一収納スペースを構成し、前記第一側壁部と前記第二側壁部はそれぞれオープンニングを有し、前記オープンニングは端から延びて第一リング壁部と第二リング壁部を形成し、第一チャンネルは前記第一リング壁部に囲まれて構成され、第二チャンネルは前記第二リング壁部に囲まれて構成され、
前記第一弾性体は、頭部と、胴体と、固定部とを含め、前記頭部は前記胴体の片側から延びて閉じた端部になり、前記胴体の別の側は延びて開いた端部になり、前記胴体の中には第二収納スペースを有し、前記第二収納スペースは前記開いた端部と接続し、前記胴体の内壁面には位置決め溝が設けられ、前記固定部は前記開いた端部から外向きに延びて前記シェルに固設され、
前記封止部は前記第二側壁部に取り付けて前記第一止着部に当接し、
前記第一突出部は前記第一リング壁部の方向に向かって突出し、前記第一弾性体が前記第一突出部に取設されることにより、前記第一突出部は前記開いた端部を通り抜けて前記第二収納スペースに配置され、前記位置決め溝は前記フランジに噛み合わせ、前記頭部は前記第一リング壁部の中に配置して前記第一チャンネルを密封し、前記第二突出部は前記第二リング壁部の方向に向かって突出することを特徴とする安全輸液コネクター。
【手続補正２】
【補正対象書類名】特許請求の範囲
【補正対象項目名】請求項４
【補正方法】変更
【補正の内容】
【請求項４】
前記第一弾性体は前記頭部及び前記胴体に接続するネック部を更に有し、前記第一側壁部と前記第一リング壁部の接合点には押圧部を更に備え、前記押圧部が前記ネック部を当接することを特徴とする請求項１に記載の安全輸液コネクター。
【手続補正３】
【補正対象書類名】明細書
【補正対象項目名】０００９
【補正方法】変更
【補正の内容】
【０００９】
上述の目的を達成するために、本発明は第一インナーチューブ、第二インナーチューブ、シェル、第一弾性体及び封止部を備える安全輸液コネクターを提供する。第一インナーチューブは中に第一流路を備える第一突出部、係着部及び少なくとも一つの第一止着部を有し、第一突出部及び第一止着部はそれぞれ係着部と連接する。第一突出部の自由端には少なくとも一つの第一貫通孔を有し、第一貫通孔は第一流路と接続する。第二インナーチューブは第二突出部、本体及び少なくとも一つの第二止着部を有し、第二突出部及び第二止着部はそれぞれ本体と連接する。第二突出部と本体の中には第二流路を有し、第二突出部の自由端には少なくとも一つの第二貫通孔を備え、第二貫通孔は第二流路と接続し、第二止着部の自由端には外向きに突出するフランジを形成する。係着部は本体と互いに係着し、第一止着部と第二止着部が交じり合って配置する。第一突出部の自由端と第二突出部の自由端は互い反対方向に向う。第一流路は第二流路と継合する。シェルは周壁部と、周壁部の両端を閉じる第一側壁部及び第二側壁部とを有し、周壁部と第一側壁部と第二側壁部とともに囲まれた第一収納スペースを構成する。第一側壁部と第二側壁部はそれぞれオープンニングを有し、且つオープンニングの端から延びて第一リング壁部と第二リング壁部を形成される。第一チャンネルは第一リング壁部に囲まれて構成され、第二チャンネルは第二リング壁部に囲まれて構成される。第一弾性体は頭部と、胴体と、固定部とを備える。頭部は胴体の片側から延びて閉じた端部になり、胴体の別の側は延びて開いた端部になる。胴体の中には第二収納スペースを有する。第二収納スペースは開いた端部と接続する。胴体の内壁面には位置決め溝が設けられる。固定部は開いた端部から外向きに延びてシェルに固設される。封止部は第二側壁部に取り付けて第一止着部に当接する。第一突出部は第一リング壁部の方向に向かって突出する。第一弾性体が第一突出部に取設されることにより、第一突出部は開いた端部を通り抜けて第二収納スペースに配置される。位置決め溝はフランジに噛み合わせ、頭部は第一リング壁部の中に配置して第一チャンネルを密封する。第二突出部は第二リング壁部の方向に向かって突出する。
【手続補正４】
【補正対象書類名】明細書
【補正対象項目名】００１２
【補正方法】変更
【補正の内容】
【００１２】
本発明の好適な実施形態においては、第一弾性体は頭部及び胴体に接続するネック部を有し、第一側壁部と第一リング壁部の接合点には押圧部を更に備え、押圧部はネック部を当接する安全輸液コネクターを提供する。
【手続補正５】
【補正対象書類名】明細書
【補正対象項目名】００２０
【補正方法】変更
【補正の内容】
【００２０】
図２から図４に示すように、第一インナーチューブ２０は中に第一流路２２５を備える第一突出部２２、係着部２４及び二つの第一止着部２６を有し、係着部２４は略中空円筒体の形をし、一端が第一突出部２２と連接し、別の一端が二つの第一止着部２６と連接し、且つ二つの第一止着部２６は係着部２４の一端で対向する位置に配置される。第一突出部２２は係着部２４と連接しない一方の端部が自由端２２１である。第一突出部２２の自由端２２１には二つの第一貫通孔２２３を有し第一貫通孔２２３は第一流路２２５と接続する。別の可能な実施例において、第一止着部２６及び第一貫通孔２２３の数は一つでもよい。
【手続補正６】
【補正対象書類名】明細書
【補正対象項目名】００２１
【補正方法】変更
【補正の内容】
【００２１】
第二インナーチューブ３０は第二突出部３２、本体３４及び二つの第二止着部３６を有し、第二突出部３２の一端が本体３４と連接し、別の一端が自由端３２１である。二つの第二止着部３６は対向する位置に配置され、それぞれ本体３４と連接する。第二突出部３２の自由端３２１には二つの第二貫通孔３２３を有し、第二突出部３２と本体３４の中には第二流路３２５を備える。第二貫通孔３２３は第二流路３２５と接続し、二つの第二止着部３６は本体３４とを連接しない一方の端部が自由端３６１であり、自由端３６１には外向きに突出するフランジ３６２を形成する。別の可能な実施例において、第二止着部３６及び第二貫通孔３２３の数は一つでもよい。
【手続補正７】
【補正対象書類名】明細書
【補正対象項目名】００２２
【補正方法】変更
【補正の内容】
【００２２】
次に、第一インナーチューブ２０と第二インナーチューブ３０の組み合わせ方法について説明する。第一インナーチューブ２０の係着部２４は第二インナーチューブ３０の本体３４と互いに係着し、第一止着部２６と第二止着部３６が交じり合って配置し、第一突出部２２の自由端２２１と第二突出部３２の自由端３２１は互い反対方向に向う。図４に示すように、第一流路２２５は第二流路３２５と継合する。
【手続補正８】
【補正対象書類名】明細書
【補正対象項目名】００２３
【補正方法】変更
【補正の内容】
【００２３】
図１、図２、図４及び図５に示すように、シェル４０は周壁部４１と、周壁部４１の両端を閉じる第一側壁部４２及び第二側壁部４３とを有する。本発明の好適な実施形態においては、簡単に組み立てられるため、周壁部４１は互いに噛み合わせる内周壁４１２と外周壁４１４を備え、内周壁４１２は第一側壁部４２を連接し、外周壁４１４は第二側壁部４３を連接する。周壁部４１と第一側壁部４２と第二側壁部４３とともに囲まれた第一収納スペース４４を構成する。第一側壁部４２と第二側壁部４３はそれぞれオープンニングを有し、且つオープンニングの端から延びて第一リング壁部４５と第二リング壁部４６を形成される。第一チャンネル４５１は第一リング壁部４５に囲まれて構成され、第二チャンネル４６１は第二リング壁部４６に囲まれて構成される。第一チャンネル４５１及び第二チャンネル４６１はそれぞれ内徑が周壁部４１の内徑より短いである。
【手続補正９】
【補正対象書類名】明細書
【補正対象項目名】００２４
【補正方法】変更
【補正の内容】
【００２４】
第一弾性体５０は頭部５２と、胴体５６と、固定部５９とを備える。頭部５２は胴体５６の片側から延びて閉じた端部になり、胴体５６の別の側は延びて開いた端部５６１になる。胴体５６の中には第二収納スペース５８を有し、第二収納スペース５８は開いた端部５６１と接続する。胴体５６の外壁面には周壁部４１への方向に向かって突出する複数の第一弾性リング５６３を含める。第一弾性リング５６３は胴体５６の構造強度を高めるために使用され、一つの第一弾性リング５６３があれば、構造強度を高めることができる。胴体５６の内壁面には位置決め溝５６２を設けられる。固定部５９は開いた端部５６１から外向きに延び、内周壁４１２と外周壁４１４の間に固設される。別の可能な実施例において、固定部５９はシェル４０に対して拘持されば、それ以外の位置に固定しても良い。
【手続補正１０】
【補正対象書類名】明細書
【補正対象項目名】００２８
【補正方法】変更
【補正の内容】
【００２８】
図４及び図５に示すように、ユーザーは安全輸液コネクター１０に介して輸液する場合、外部ノズル（図中未表示）を第一リング壁部４５に挿入するにより、固定部５９がシェル４０に対して拘持されるので、第一弾性体５０が圧縮されて変形すると、第一インナーチューブ２０の第一貫通孔２２３が第一弾性体５０を覆われないになる。同時、第一弾性体５０と互いに噛み合わせる第二インナーチューブ３０も、第二リング壁部４６へ応動するようになる。それで、第二突出部３２は封止部６０を穿通し第二チャンネル４６１に入り、シリンジと第一流路２２５と第二流路３２５と第二チャンネル４６１とを継合し、ユーザーは需要に応じて液体の注入または吸引をすることができる。